(57)【要約】【課題】物品の正面と背面とを同時に観察することができ、効果的に物品を展示することができる展示台を提供する。【解決手段】光透過性を有する材料により形成され、腕時計５０が設置される設置部１０と、設置部１０を支持する支持部２０と、を備え、設置部１０は、腕時計５０の背面の裏蓋５１と接触して腕時計５０を設置可能な設置面１１を備え、設置部１０と支持部２０との間には、腕時計５０の裏蓋５１の像を反射する反射面３０ａを備えることを特徴としている。【選択図】図１
2014108330.tif 000002
【特許請求の範囲】
【請求項１】
物品を展示するための展示台であって、
光透過性を有する材料により形成され、前記物品が設置される設置部と、
前記設置部を支持する支持部と、
を備え、
前記設置部は、前記物品の背面と接触して前記物品を設置可能な設置面を備え、
前記設置部と前記支持部との間には、前記物品の背面の像を反射する反射面を備えることを特徴とする展示台。
【請求項２】
請求項１に記載の展示台であって、
前記反射面は、前記設置面の法線方向に対して所定角度で交差することを特徴とする展示台。
【請求項３】
請求項２に記載の展示台であって、
前記所定角度は４０°以上５０°以下であることを特徴とする展示台。
【請求項４】
請求項２または３に記載の展示台であって、
前記所定角度は４５°であることを特徴とする展示台。
【請求項５】
請求項１から４のいずれか１項に記載の展示台であって、
前記物品の背面の像が偶数回反射して前記設置部の外側に出射するように構成されていることを特徴とする展示台。
【請求項６】
請求項１から５のいずれか１項に記載の展示台であって、
前記設置面は、重力方向上方に面していることを特徴とする展示台。
【請求項７】
請求項１から６のいずれか１項に記載の展示台であって、
前記反射面は、前記設置部側の面上に形成され、
前記反射面と前記支持部との間には、接着層が形成されていることを特徴とする展示台。
【請求項８】
請求項１から７のいずれか１項に記載の展示台であって、
前記物品は、腕時計であることを特徴とする展示台。
【発明の詳細な説明】
【技術分野】
【０００１】
この発明は、物品を展示するための展示台に関するものである。
【背景技術】
【０００２】
従来、物品のうち、例えば腕時計を展示する展示台として、腕時計を保持する保持体と、保持体を支持する基台部と、を備え、保持体に腕時計のバンドを巻回して保持体に腕時計を保持させた状態で基台部に取り付けて腕時計を展示するものが知られている（例えば特許文献１および２参照）。
【０００３】
ところで、腕時計は、時刻を表示する機能に加えて、装飾品としての機能も有している。このため、腕時計の中には、文字盤（正面）の装飾に加えて、裏蓋（背面）にも装飾を施しているものがある。具体的には、裏蓋の表面に対して高級感を付与するためにメッキや彫刻等により加飾された腕時計や、ガラス等の透過性を有する材料により裏蓋を形成してムーブメントの動作を鑑賞可能としたいわゆるスケルトンタイプの腕時計等が知られている。
【先行技術文献】
【特許文献】
【０００４】
【特許文献１】意匠登録第１０２７６７１号公報
【特許文献２】意匠登録第１０６９９９７号公報
【発明の概要】
【発明が解決しようとする課題】
【０００５】
しかしながら、従来技術の展示台にあっては、腕時計のバンドを環状にして保持体に巻回するために、腕時計の裏蓋が保持体や腕時計のバンドにより覆われてしまう。このため、特徴的な装飾が施された腕時計の裏蓋を視認するのが困難であった。さらに、腕時計の文字盤と腕時計の裏蓋とを同時に視認するためには、展示台から腕時計を取り外し、直接手で持って観察する必要があるが、展示品である腕時計に汚れが付着するおそれがあるため一般に好ましくない。
【０００６】
そこで、本発明は、上述した事情に鑑みてなされたものであって、物品の正面と背面とを同時に観察することができ、効果的に物品を展示することができる展示台の提供を課題とする。
【課題を解決するための手段】
【０００７】
上記の課題を解決するために、本発明の展示台は、物品を展示するための展示台であって、光透過性を有する材料により形成され、前記物品が設置される設置部と、前記設置部を支持する支持部と、を備え、前記設置部は、前記物品の背面と接触して前記物品を設置可能な設置面を備え、前記設置部と前記支持部との間には、前記物品の背面の像を反射する反射面を備えることを特徴としている。
【０００８】
本発明によれば、設置部と支持部との間には、物品の背面の像を反射する反射面を備えているので、設置面に物品の背面を接触させて物品を設置したときに、物品の背面の像を反射面により反射して物品の背面の逆像とし、この物品の背面の逆像を展示台の外側に出射することができる。
また、設置部は、光透過性を有する材料により形成されているので、設置部と外部との境界面において、所定の入射角で入射した物品の背面の像を全反射することができる。したがって、設置面に物品の背面を接触させて物品を設置したときに、物品の背面の像を境界面により全反射して物品の背面の逆像とし、この物品の背面の逆像をさらに反射面により反射して物品の背面の正像とし、この物品の背面の正像を展示台の外側に出射することができる。
これにより、展示台の外側から、設置面に設置された物品の正面と、物品の背面の逆像と、物品の背面の正像とを視認できる。したがって、物品の正面と背面とを同時に観察することができ、効果的に物品を展示することができる。
【０００９】
また、前記反射面は、前記設置面の法線方向に対して所定角度で交差することを特徴としている。
【００１０】
本発明によれば、反射面が設置面の法線方向に対して所定角度で交差しているので、反射面に対して設置面の法線方向に沿うように入射した物品の背面の像は、反射面により設置面の法線方向と交差する方向に反射する。これにより、展示台の外側であって、設置面の法線方向とは異なる方向から反射面により反射した物品の背面の逆像を視認できる。
【００１１】
また、前記所定角度は４０°以上５０°以下であることを特徴としている。
【００１２】
反射面が設置面の法線方向に対して４０°以上５０°以下、すなわち４５°±５°の角度で交差することにより、展示台の外側から、反射面により反射した物品の背面の逆像と、設置部と外部との境界面および反射面により反射した物品の背面の正像とが、良好に視認できることが確認できた。
【００１３】
また、前記所定角度は４５°であることを特徴としている。
【００１４】
反射面が設置面の法線方向に対して４５°の角度で交差することにより、展示台の外側から、反射面により反射した物品の背面の逆像と、設置部と外部との境界面および反射面により反射した物品の背面の正像とが、特に良好に視認できることが確認された。
【００１５】
また、前記物品の背面の像が偶数回反射して前記設置部の外側に出射するように構成されていることを特徴としている。
【００１６】
本発明によれば、物品の背面の像が偶数回反射して設置部の外側に出射することで、展示台の外側から、反射面により反射した物品の背面の正像を視認できる。
【００１７】
また、前記設置面は、重力方向上方に面していることを特徴としている。
【００１８】
本発明によれば、物品を設置面に載置するだけで、物品の自重により簡単に物品を設置面に設置できる。したがって、物品を設置面に固定するための固定手段が不要となるので、物品を設置面に簡単に設置できるとともに、展示台を低コストに形成できる。
【００１９】
また、前記反射面は、前記設置部側の面上に形成され、前記反射面と前記支持部との間には、接着層が形成されていることを特徴としている。
【００２０】
本発明によれば、反射面が設置部側の面上に形成され、反射面と支持部との間に接着層が形成されているので、反射面と設置部との間に接着層が介在することがない。したがって、設置面に設置された物品の背面の像が反射面により反射する際、接着層による散乱を防止できる。これにより、展示台の外側から、反射した物品の背面の像を良好に視認できる。
【００２１】
また、前記物品は、腕時計であることを特徴とする。
【００２２】
本発明によれば、文字板と裏蓋とに装飾を施した腕時計の展示に特に好適である。
【発明の効果】
【００２３】
本発明によれば、設置部と支持部との間には、物品の背面の像を反射する反射面を備えているので、設置面に物品の背面を接触させて物品を設置したときに、物品の背面の像を反射面により反射して物品の背面の逆像とし、この物品の背面の逆像を展示台の外側に出射することができる。
また、設置部は、光透過性を有する材料により形成されているので、設置部と外部との境界面において、所定の入射角で入射した物品の背面の像を全反射することができる。したがって、設置面に物品の背面を接触させて物品を設置したときに、物品の背面の像を境界面により全反射して物品の背面の逆像とし、この物品の背面の逆像をさらに反射面により反射して物品の背面の正像として、この物品の背面の正像を展示台の外側に出射することができる。
これにより、展示台の外側から、設置面に設置された物品の正面と、物品の背面の逆像と、物品の背面の正像とを視認できる。したがって、物品の正面と背面とを同時に観察することができ、効果的に物品を展示することができる。
【図面の簡単な説明】
【００２４】
【図１】腕時計が設置された展示台の斜視図である。
【図２】展示台の分解斜視図である。
【図３】展示台を右方から見たときの説明図である。
【図４】展示台の観察面を前方から見たときの説明図である。
【図５】実施形態の変形例に係る展示台を右方から見たときの説明図である。
【図６】実施形態の変形例に係る展示台の観察面を前方から見たときの説明図である。
【発明を実施するための形態】
【００２５】
以下に、この発明の実施形態について、図面を用いて説明する。
図１は、腕時計５０が設置された展示台１の斜視図である。
図２は、展示台１の分解斜視図である。
図１に示すように、本実施形態の展示台１は、腕時計５０（請求項の「物品」に相当。）を展示するためのものである。
腕時計５０は、裏蓋５１とカバーガラス５３とにより形成された円盤状の時計ケース５５内に、時に関する情報を示す目盛り等を有する文字板５７と、駆動体である不図示のムーブメントと、を備えている。
時計ケース５５の径方向の対向する位置からは、腕時計５０を使用者の手首等に装着するための一対のベルト５９ａ，５９ｂが、径方向の外側に向かって延在している。
また、時計ケース５５の側面には、径方向の外側に向かって突出する竜頭５６が設けられている。竜頭５６は、径方向における一対のベルト５９ａ，５９ｂの延在方向と直交する方向に沿うように設けられている。
腕時計５０は、カバーガラス５３を上方にして展示台１に展示される。以下の説明において、腕時計５０が展示台１に展示されたとき、上方に面するカバーガラス５３側を正面といい、裏蓋５１側を背面という。
【００２６】
展示台１は、水平面Ｓ上に載置されており、腕時計５０が設置される設置部１０と、設置部１０を支持する支持部２０と、設置部１０と支持部２０との間に設けられた反射層３０と、設置部１０と支持部２０との間に設けられた接着層３５と、を備えており、全体として直方体状に形成されている。なお、各図においては、反射層３０および接着層３５の厚さを誇張して表現している。
詳細は後述するが、展示台１は、各側面のうちの一の面から、展示される腕時計５０の背面の裏蓋５１が観察可能とされている。ここで、展示台１の各側面のうち、腕時計５０の背面を観察可能な一の面を観察面１ａと定義する。以下の説明では、展示台１の各側面のうち、図１における紙面手前側の設置部１０の主面を観察面１ａとし、観察面１ａと直交する方向を前後方向といい、観察面１ａ側を前方といい、観察面１ａとは反対側を後方という。また、以下の説明では、「上下左右」は展示台１を前方から見たときの「上下左右」に相当する。さらに、「上下」は、重力方向上下に相当する。
【００２７】
図２に示すように、設置部１０は、例えばアクリル樹脂やポリカーボーネイト樹脂等の光透過性を有する樹脂材料や、光透過性を有するガラス材料等により、ブロック状に形成されている。設置部１０は、側面視で前方に長辺を有し後方に短辺を有する台形状に形成され、設置部１０の各側面はそれぞれ平坦に形成されている。
図１に示すように、設置部１０の上面は、腕時計５０の背面の裏蓋５１と接触して腕時計５０を設置可能な設置面１１となっている。設置面１１は、重力方向上方に面しており、かつ水平面Ｓと略平行となるように設けられている。これにより、腕時計５０を設置面１１に載置するだけで、腕時計５０の自重により腕時計５０を設置面１１に設置できる。
設置部１０の設置面１１上において、腕時計５０は、裏蓋５１が設置面１１に接触し、かつ竜頭５６が前方を指向した状態で載置されている。腕時計５０の裏蓋５１が設置面１１に接触することで、腕時計５０の裏蓋５１の像が光透過性を有する設置部１０の内部に入射する。
図２に示すように、設置部１０の下面１３は、前方から後方に向かって漸次上方に傾斜する傾斜面となっている。設置部１０の下面１３の傾斜角度は、所定角度に設定される。本実施形態においては、設置部１０の下面１３の傾斜角度は、設置面１１の法線方向Ｈ１に対して、例えば約４５°程度とされている。
【００２８】
支持部２０は、例えばアルミニウムやステンレス等の金属材料や、比較的高強度な樹脂材料等により、ブロック状に形成されている。支持部２０は、設置部１０と対称形状とされており、側面視で前方に短辺を有し後方に長辺を有する台形状に形成され、支持部２０の各側面はそれぞれ平坦に形成されている。
支持部２０の上面２１は、反射層３０と接着層３５とを介して、設置部１０の下面１３の下方に配置されている。支持部２０の上面２１は、前方から後方に向かって漸次上方に傾斜する傾斜面となっている。支持部２０の上面２１の傾斜角度は、設置部１０の下面１３と同様に、設置面１１の法線方向Ｈ１に対して、例えば約４５°程度とされている。
【００２９】
反射層３０は、設置部１０の下面１３に対して、例えばアルミニウムや金、銀、チタン、クロム等の金属材料を、真空蒸着法や、スパッタリング法、イオンプレーティング法等により成膜することにより形成されている。本実施形態では、設置部１０の下面１３に対して、アルミニウムを真空蒸着法により成膜することで反射層３０を形成している。反射層３０の厚さは、例えば０．１μｍから５００μｍ程度となっており、入射する可視光を高い反射率（例えば、８０％以上）で反射可能なように形成されている。
【００３０】
反射層３０における設置部１０の下面１３との接触面は、反射面３０ａとなっている。反射面３０ａは、設置部１０の下面１３上において、設置部１０の下面１３に沿うように形成される。反射面３０ａは、設置面１１の法線方向Ｈ１に対して所定角度で交差している。本実施形態の反射面３０ａは、設置部１０の下面１３と同様に、設置面１１の法線方向Ｈ１に対して、例えば約４５°程度で交差している。したがって、反射面３０ａは、反射面３０ａに入射する腕時計５０の裏蓋５１の像を、反射面３０ａの面する前方の観察面１ａに向かって、腕時計５０の裏蓋５１の逆像として反射することができる。
【００３１】
接着層３５は、反射層３０を介して設置部１０と支持部２０とを固定している。接着層３５は、支持部２０の上面２１に塗布された接着剤が、設置部１０の下面１３上の反射層３０と支持部２０の上面２１との間で硬化することにより形成されている。なお、接着層３５を形成する接着剤としては、例えば嫌気性の接着剤が好適である。
接着層３５は、反射層３０と支持部２０の上面２１との間に介在しており、反射面３０ａと設置部１０の下面１３との間には介在していない。したがって、反射面３０ａに入射する腕時計５０の裏蓋５１の像は、接着層３５によって散乱することがない。なお、接着層３５は、嫌気性の接着剤により形成される態様に限定されない。例えば、粘着シート等により接着層３５が形成されていてもよい。
【００３２】
（実施形態の作用）
続いて、上述のように形成された展示台１の作用について説明する。
図３は、展示台１を右方から見たときの説明図であり、図４は、展示台１の観察面１ａを前方から見たときの説明図である。なお、以下の説明において、腕時計５０の裏蓋５１には、文字「Ｇ」が印刷されているものとする。また、腕時計５０は、竜頭５６が前方を指向するように設置面１１上に設置されているものとする。また、図３において、設置部１０の内部を進行する腕時計５０の裏蓋５１の像Ｆ１（Ｆ１ａ，Ｆ１ｂ）を破線で図示し、腕時計５０の裏蓋５１の逆像Ｆ２（Ｆ２ａ，Ｆ２ｂ）を一点鎖線で図示し、腕時計５０の裏蓋５１の正像Ｆ３を二点鎖線で図示している。
【００３３】
図３に示すように、設置部１０の内部を進行する腕時計５０の裏蓋５１の像のうち、法線方向Ｈ１に沿って進行する腕時計５０の裏蓋５１の像Ｆ１ａは、法線方向Ｈ１に対して４５°で交差する反射面３０ａに入射する。続いて、反射面３０ａに入射した腕時計５０の裏蓋５１の像Ｆ１ａは、反射面３０ａにより腕時計５０の裏蓋５１の逆像Ｆ２ａとされて、前方の観察面１ａに向かって反射する。これにより、腕時計５０の裏蓋５１の逆像Ｆ２ａは、前方の観察面１ａから出射する。したがって、図４に示すように、観察者は、観察面１ａを見たとき、竜頭５６ａが下方を指向し、文字「Ｇ」がミラー反転した腕時計５０の裏蓋５１の逆像Ｆ２ａを視認できる。
【００３４】
ところで、設置部１０は、光透過性を有するアクリル樹脂により形成されているため、設置部１０の内部（アクリル樹脂）と外部（空気）とでは、屈折率が異なっている。したがって、設置部１０の内部を進行する腕時計５０の裏蓋５１の像Ｆ１は、内部と外部との境界面である設置部１０の各側面に対して、設置部１０の内側から所定の入射角で入射したときに設置部１０の内側に全反射する。
例えば、図３に示すように、観察面１ａに向かって設置部１０の内部を進行する腕時計５０の裏蓋５１の像Ｆ１ｂは、所定の入射角で観察面１ａに入射したとき、外部に出射されることなく所定の入射角で設置部１０の内側に全反射する。このとき、腕時計５０の裏蓋５１の像Ｆ１ｂは、観察面１ａ内側での全反射によって、腕時計５０の裏蓋５１の逆像Ｆ２ｂとされる。続いて、腕時計５０の裏蓋５１の逆像Ｆ２ｂは、設置部１０の内部を進行し、反射面３０ａに入射する。そして、反射面３０ａに入射した腕時計５０の裏蓋５１の逆像Ｆ２ｂは、反射面３０ａにより腕時計５０の裏蓋５１の正像Ｆ３とされて、前方の観察面１ａに向かって反射する。これにより、腕時計５０の裏蓋５１の正像Ｆ３は、腕時計５０の裏蓋５１の逆像Ｆ２ａ下方において、前方の観察面１ａから出射する。したがって、図１に示すように、展示台１を斜め上方から見下ろしたとき、観察者は、腕時計５０の裏蓋５１の逆像Ｆ２ａに加えて、腕時計５０の裏蓋５１の逆像Ｆ２ａの下方において、竜頭５６ｂが上方を指向し、文字「Ｇ」がミラー反転していない腕時計５０の裏蓋５１の正像Ｆ３を視認できる。
【００３５】
（実施形態の効果）
本実施形態によれば、設置部１０と支持部２０との間には、腕時計５０の裏蓋５１の像を反射する反射面３０ａを備えているので、設置面１１に腕時計５０の裏蓋５１を接触させて腕時計５０を設置したときに、腕時計５０の裏蓋５１の像Ｆ１ａを反射面３０ａにより反射して腕時計５０の裏蓋５１の逆像Ｆ２ａとし、この腕時計５０の裏蓋５１の逆像Ｆ２ａを展示台１の外側に出射することができる。
また、設置部１０は、光透過性を有する材料により形成されているので、設置部１０と外部との境界面において、所定の入射角で入射した腕時計５０の裏蓋５１の像Ｆ１ｂを全反射することができる。したがって、設置面１１に腕時計５０の裏蓋５１を接触させて腕時計５０を設置したときに、腕時計５０の裏蓋５１の像Ｆ１ｂを境界面により全反射して腕時計５０の裏蓋５１の逆像Ｆ２ｂとし、この腕時計５０の裏蓋５１の逆像Ｆ２ｂをさらに反射面３０ａにより反射して腕時計５０の裏蓋５１の正像Ｆ３とし、この腕時計５０の裏蓋５１の正像Ｆ３を展示台１の外側に出射することができる。
これにより、展示台１の外側から、設置面１１に設置された腕時計５０の正面と、腕時計５０の裏蓋５１の逆像Ｆ２ａと、腕時計５０の裏蓋５１の正像Ｆ３とを視認できる。したがって、腕時計５０の正面の文字板５７と背面の裏蓋５１とを同時に観察することができ、効果的に腕時計５０を展示することができる。
【００３６】
また、反射面３０ａが設置面１１の法線方向Ｈ１に対して４５°の角度で交差しているので、反射面３０ａに対して設置面１１の法線方向Ｈ１に沿うように入射した腕時計５０の裏蓋５１の像Ｆ１ａは、設置面１１の法線方向Ｈ１と交差する方向（本実施形態では前方）に向かって反射する。これにより、展示台１の前方から反射面３０ａにより反射した腕時計５０の裏蓋５１の逆像Ｆ２ａを視認できる。
【００３７】
また、反射面３０ａが設置面１１の法線方向Ｈ１に対して４５°の角度で交差することにより、展示台１の外側から、反射面３０ａにより反射した腕時計５０の裏蓋５１の逆像Ｆ２ａと、観察面１ａ内側で全反射し、さらに反射面３０ａにより反射した腕時計５０の裏蓋５１の正像Ｆ３とが、良好に視認できることが確認された。
【００３８】
また、設置面１１は、重力方向上方に面しているので、腕時計５０を設置面１１に載置するだけで、腕時計５０の自重により簡単に腕時計５０を設置面１１に設置できる。したがって、腕時計５０を設置面１１に固定するための固定手段が不要となるので、腕時計５０を設置面１１に簡単に設置できるとともに、展示台１を低コストに形成できる。
【００３９】
また、反射面３０ａが設置部１０側の下面１３上に形成され、反射面３０ａと支持部２０との間に接着層３５が形成されているので、反射面３０ａと設置部１０との間に接着層３５が介在することがない。したがって、設置面１１に設置された腕時計５０の裏蓋５１の像が反射面３０ａにより反射する際、接着層３５による散乱を防止できる。これにより、展示台１の外側から腕時計５０の裏蓋５１の像を良好に視認できる。
【００４０】
（実施形態の変形例）
続いて、実施形態の変形例に係る展示台１について説明する。
図５は、実施形態の変形例に係る展示台１を右方から見たときの説明図であり、図６は、実施形態の変形例に係る展示台１の観察面１ａを前方から見たときの説明図である。なお、以下の説明において、腕時計５０の裏蓋５１には、文字「Ｇ」が印刷されているものとする。また、腕時計５０は、竜頭５６が前方を指向するように設置面１１上に設置されている。また、図５において、設置部１０の内部を進行する腕時計５０の裏蓋５１の像Ｆ１（を破線で図示し、腕時計５０の裏蓋５１の逆像Ｆ２を一点鎖線で図示し、腕時計５０の裏蓋５１の正像Ｆ３を二点鎖線で図示している。
【００４１】
実施形態に係る展示台１は、設置部１０と支持部２０との間に、腕時計５０の裏蓋５１の像を反射する反射面３０ａが形成されていた（図２参照）。
これに対して、実施形態の変形例に係る展示台１は、図５に示すように、設置部１０と支持部２０との間に第１反射面３１ａが形成され、設置部１０の後面１５に第２反射面３２ａが形成されている点で、実施形態とは異なっている。なお、実施形態と同様の構成部分については詳細な説明を省略し、異なる部分についてのみ説明する。
【００４２】
図５に示すように、設置部１０は、側面視で５角形状に形成されている。設置部１０の下方端面は、第１下面１６と第２下面１７とによって、下方に凸のＶ字形状に形成されている。
設置部１０の第１下面１６は、前方に配置されており、前方から後方に向かって漸次下方に傾斜する傾斜面となっている。第１下面１６は、設置面１１の法線方向Ｈ１に対して交差するように形成されている。
設置部１０の第２下面１７は、第１下面１６よりも後方に配置されており、前方から後方に向かって漸次上方に傾斜する傾斜面となっている。
設置部１０の後面１５は、前方から後方に向かって漸次下方に傾斜する傾斜面となっている。
【００４３】
支持部２０の上方端面は、第１上面２６と第２上面２７とにより、側面視で設置部１０の下方端面の形状に対応した下方に凹のＶ字形状に形成されている。第１上面２６は、設置部１０の第１下面１６に対して対向配置され、第２上面２７は、設置部１０の第２下面１７に対して対向配置されている。
【００４４】
第１反射層３１は、設置部１０の第１下面１６上に、アルミニウムを真空蒸着法により成膜することで形成されている。第１反射層３１における設置部１０の第１下面１６との接触面は、第１反射面３１ａとなっている。第１反射面３１ａは、後面１５に面するように配置されている。これにより、第１反射面３１ａに入射した腕時計５０の裏蓋５１の像Ｆ１は、後面１５に向かって腕時計５０の裏蓋５１の逆像Ｆ２として反射する。
【００４５】
第２反射層３２は、設置部１０の後面１５上に、アルミニウムを真空蒸着法により成膜することにより形成されている。第２反射層３２における設置部１０の後面１５との接触面は、第２反射面３２ａとなっている。第２反射面３２ａは、第１反射面３１ａおよび観察面１ａに面するように配置されている。これにより、第１反射面３１ａで反射した腕時計５０の裏蓋５１の逆像Ｆ２は、第２反射面３２ａに入射するとともに、第２反射面３２ａに入射した腕時計５０の裏蓋５１の逆像Ｆ２は、観察面１ａに向かって腕時計５０の裏蓋５１の正像Ｆ３として反射する。
【００４６】
接着層３５は、支持部２０の第１上面２６および第２上面２７に塗布された接着剤が、設置部１０の第１下面１６上の第１反射層３１と支持部２０の第１上面２６との間、および設置部１０の第２下面１７と支持部２０の第２上面２７との間で硬化することにより形成されている。
接着層３５は、第１反射層３１と支持部２０の第１上面２６との間に介在しており、第１反射面３１ａと設置部１０の第１下面１６との間には介在していない。したがって、第１反射面３１ａに入射する腕時計５０の裏蓋５１の像Ｆ１は、接着層３５によって散乱することがない。
【００４７】
（実施形態の変形例の作用）
続いて、上述のように形成された実施形態の変形例に係る展示台１の作用について説明する。
図５に示すように、法線方向Ｈ１に沿って進行する腕時計５０の裏蓋５１の像Ｆ１は、第１反射面３１ａに入射する。続いて、第１反射面３１ａに入射した腕時計５０の裏蓋５１の像Ｆ１は、第１反射面３１ａにより腕時計５０の裏蓋５１の逆像Ｆ２とされて、後方の第２反射面３２ａに入射する。さらに、第２反射面３２ａに入射した腕時計５０の裏蓋５１の逆像Ｆ２は、第２反射面３２ａにより腕時計５０の裏蓋５１の正像Ｆ３とされて、前方の観察面１ａに向かって反射する。これにより、腕時計５０の裏蓋５１の正像Ｆ３は、前方の観察面１ａから出射する。したがって、図６に示すように、観察者は、観察面１ａを見たとき、竜頭５６ｂが上方を指向し、文字「Ｇ」がミラー反転していない腕時計５０の裏蓋５１の正像Ｆ３を視認できる。
【００４８】
（実施形態の変形例の効果）
実施形態の変形例によれば、展示台１は、第１反射面３１ａおよび第２反射面３２ａを備え、腕時計５０の裏蓋５１の像Ｆ１が２回反射して設置部１０の外側に出射するので、展示台１の外側から、第１反射面３１ａおよび第２反射面３２ａにより反射した腕時計５０の裏蓋５１の正像Ｆ３を視認できる。
【００４９】
なお、本発明の技術的範囲は前記実施の形態に限定されるものではなく、本発明の趣旨を逸脱しない範囲において種々の変更を加えることが可能である。
【００５０】
展示台１および展示台１を構成する設置部１０や支持部２０等の形状は、実施形態および実施形態の変形例に限定されない。例えば、実施形態の展示台１は、全体として直方体状に形成されていたが、円柱状であってもよい。また、設置部１０や支持部２０等を形成する材料は、実施形態および実施形態の変形例に限定されない。例えば、支持部２０は、木材等により形成されていてもよい。また、支持部２０は、中実のブロック状に形成されていたが、設置部１０を支持可能であれば、形状は実施形態および実施形態の変形例に限定されない。例えば、支持部２０は、枠体により中空に形成されていてもよい。
【００５１】
実施形態の展示台１は、反射面３０ａが設置面１１の法線方向Ｈ１に対して約４５°程度で交差していたが、３０ａの設置面１１の法線方向Ｈ１に対する反射面３０ａの交差角度は４５°に限定されない。ただし、反射面３０ａが設置面１１の法線方向Ｈ１に対して４０°以上５０°以下、すなわち４５°±５°の角度で交差することにより、展示台１の外側から腕時計５０の裏蓋５１の逆像Ｆ２ａと、腕時計５０の裏蓋５１の正像Ｆ３とが、良好に視認できることが確認できた。さらに、反射面３０ａが設置面１１の法線方向Ｈ１に対して４５°の角度で交差することにより、展示台１の外側から腕時計５０の裏蓋５１の逆像Ｆ２ａと、腕時計５０の裏蓋５１の正像Ｆ３とが、特に良好に視認できることが確認できた。
【００５２】
実施形態および実施形態の変形例では、反射面３０ａおよび第１反射面３１ａをそれぞれ設置部１０側に設けていたが、支持部２０側に設けてもよい。また、実施形態の反射面３０ａは、設置部１０側の下面１３に対して、アルミニウムを真空蒸着法により成膜することで形成されていたが、例えば支持部２０を金属材料により形成し、支持部２０の上面２１を鏡面仕上げ等することにより、支持部２０の上面２１自体を反射面として形成してもよい。
【００５３】
実施形態および実施形態の変形例では、設置面１１を重力方向上方に設け、観察面１ａを展示台１の側方に設けていたが、例えば設置面１１を展示台１の側方に設け、観察面１ａを重力方向上方に設けてもよい。ただし、観察面１ａを展示台１の側方に設けた場合には、腕時計５０を固定するための固定手段が必要となる。したがって、実施形態および実施形態の変形例にかかる展示台１は、固定手段を必要とせず、腕時計５０を設置面１１に簡単に設置できるとともに、展示台１を低コストに形成できる点で優位性がある。
【００５４】
実施形態および実施形態の変形例に係る展示台１は、設置面１１に腕時計５０を設置することにより腕時計５０を展示していたが、展示される物品は腕時計５０に限定されることはなく、例えばブローチや指輪、ネクタイピン、メガネフレーム等の装飾品や、彫刻等の美術品等であってもよい。本発明の展示台１は、展示される物品の正面および背面を同時に観察したい場合に好適に用いることができる。とりわけ、展示される物品を腕時計５０とした場合においては、ベルト５９ａ，５９ｂを環状にして展示する必要がない。したがって、ベルト５９ａ，５９ｂが例えば皮革により形成されている場合には、ベルト５９ａ，５９ｂの劣化を抑制できる。このように、本発明の展示台１は、腕時計５０の展示に特に好適である。
【００５５】
実施形態および実施形態の変形例に係る展示台１は、設置部１０と支持部２０との間に接着層３５が設けられており、設置部１０と支持部２０とが接着層３５により固定されていたが、例えば、支持部２０上に設置部１０を載置可能な場合等、支持部２０の形状により設置部１０を支持できる場合には、接着層３５を設けなくてもよい。
【００５６】
実施形態の変形例に係る展示台１は、第１反射面３１ａおよび第２反射面３２ａを備え、腕時計５０の裏蓋５１の像Ｆ１が２回反射して設置部１０の外側に出射することで、腕時計５０の裏蓋５１の正像Ｆ３を視認できるようにしていたが、腕時計５０の裏蓋５１の正像Ｆ３を視認するための反射回数は２回に限定されることはなく、偶数回であればよい。腕時計５０の裏蓋５１の像Ｆ１が偶数回反射して設置部１０の外側に出射するように構成されることで、観察面１ａから腕時計５０の裏蓋５１の正像Ｆ３を視認でき、実施形態の変形例と同じ作用効果を奏することができる。
【００５７】
その他、本発明の趣旨を逸脱しない範囲で、上記した実施の形態における構成要素を周知の構成要素に置き換えることは適宜可能である。
【符号の説明】
【００５８】
１・・・展示台  １０・・・設置部  １１・・・設置面  ２０・・・支持部  ３０ａ・・・反射面  ３１ａ・・・第１反射面（反射面）  ３５・・・接着層  ５０・・・腕時計（物品）  Ｆ１（Ｆ１ａ，Ｆ１ｂ）・・・像  Ｈ１・・・設置面の法線方向
【図１】
2014108330.tif 000003
【図２】
2014108330.tif 000004
【図３】
2014108330.tif 000005
【図４】
2014108330.tif 000006
【図５】
2014108330.tif 000007
【図６】
2014108330.tif 000008